(57)【要約】【課題】印刷された画像およびこれに関連するより多くの情報を、同一の記録媒体に記録および取得可能なシステムを提供すること。【解決手段】画像データを記録するシステムにおいて、同一の記録媒体に対し、視覚的に確認可能な記録を行う手段（記録ヘッドＢ１５）と、視覚的に確認不可能な記録を行う手段（磁気ヘッドＢ１６）とを有する。さらに視覚的に確認不可能な処理を施した記録媒体から、データの読取り、記憶および再生を行う手段を有する。これにより、視覚的に確認可能な情報と、この情報を含みこの情報に関連するより多くの情報とを、同一の記録媒体から２重に得ることが可能となる。【選択図】        図２
2004148533.tif 000002
【特許請求の範囲】
【請求項１】
可視情報を記録可能な第１部材と、非可視情報を記録可能な第２部材とを含んだ記録媒体に記録をおこなう記録システムであって、
前記第１部材に対し画像情報を可視情報として記録を行うための第１記録手段と、
前記第２部材に対して少なくとも前記画像情報に対応した非可視情報の記録を行う第２記録手段と
を有することを特徴とする記録システム。
【発明の詳細な説明】
【０００１】
【発明の属する技術分野】
本発明は、記録後の情報が記録媒体上で視覚的に感知されない手段による記録と、視覚的に感知される手段による記録とを、同一の記録媒体に行うことが可能な記録システムに関する。
【０００２】
【従来の技術】
色材が印刷された記録媒体に磁気記録技術を併用した例としては、電車の自動改札用の切符、テレフォンカード、メンバーズカード、クレジットカード、またキャッシュカード等が挙げられる。
【０００３】
更に、記録装置（以下プリンタとも称す）の分野においては、用紙の一部に磁気ストライプを設け、色材の記録と磁気記録を併せて行う構成が各種知られている。ここで記録する磁気記録情報としては、例えばプリンタ制御情報や個人識別（ＩＤ）情報などが挙げられ、用紙の位置決めや、記録後の用紙の検索を容易にしたり、またＩＤ照合装置に便宜を与えようとするものなどがある。
【０００４】
また、特許文献１では、磁気記憶可能な領域を設けたプリント用紙を用い、画像印刷と共に磁気記憶領域に音声信号を記憶し再生できるプリンタが開示されている。
【０００５】
以上のような記録物や記録装置においては、色材を用いた印刷による情報と、磁気記録による情報とを、同一の媒体に二重に記録させているのが特徴となっている。
【０００６】
【特許文献１】
実公平７−９６４５号公報
【０００７】
【発明が解決しようとする課題】
しかしながら、切符やテレフォンカードのような媒体においては、色材を記録する装置と磁気情報を記録したり読み取ったりする装置とが独立している場合が多く、２つの情報を同時に記録したり、読み取ったりする装置が提供されているわけではない。
【０００８】
また、用紙の一部に磁気ストライプを設け、磁気記録を行う例では、記録する情報の特性上、僅かな情報量しか書き込みが出来ない構成となっている。
【０００９】
特許文献１の場合には、色材を記録しながら音声信号を記憶したり、再生する構成が開示されているが、磁気記憶の対象を音声情報のみに限定しており、音声以外の画像や文字などの情報は対象としていない。また、より複雑なオーディオ情報についての限定も不明確である。
【００１０】
本発明は上述の問題点を解消するためになされたものであり、その目的とするところは、印刷された画像およびこれに関連するより多くの情報を、同一の記録媒体に記録および取得可能なシステムを提供することにある。
【００１１】
【課題を解決するための手段】
そのために本発明では、視覚的に確認可能な情報を記録可能な部材１と、視覚的に確認不可能な情報を記録可能な部材２とを含んだ記録媒体に記録をおこなう記録システムであって、前記部材１に対し画像情報の記録を行う記録手段１と、前記部材２に対して少なくとも前記画像情報を含む情報の記録を行う記録手段２とを有することを特徴とする。
【００１２】
以上の構成によれば、視覚的に確認可能な情報と、この情報を含みこの情報に関連するより多くの情報とを、同一の記録媒体から２重に得ることが出来る。よって、ユーザは、印刷された画像を目印に、記録媒体に格納されているデータの内容を把握することが出来たり、印刷された画像が劣化した場合にも、記録媒体に格納されているデータから同一の画像を再生することが出来る。
【００１３】
なお、本明細書において、「記録」とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、または記録媒体の加工を行う場合を言うものとする。さらに、「印刷」とは、上記「記録」の中でも、特に色材を用いて人間が視覚で感知し得るような場合に限定したものとする。
【００１４】
【発明の実施の形態】
以下に、本発明の実施形態を説明する。
【００１５】
（第１の実施形態）
本実施形態においては、磁気記録シート付きの記録媒体に、画像を印刷すると共に、同一の画像または異なる画像の情報（データ）を、磁気的に記録したり再生する機能を有する記録システムに関するものである。
【００１６】
図１は、本実施形態における記録システムの概念図である。図１において、記録装置Ｂ０２はデジタルカメラＢ０１とケーブルで接続されており、ＪＰＥＧ等の圧縮手法で圧縮された画像情報が、デジタルカメラＢ０１から記録装置Ｂ０２に送信させる。信号の送信形態としては、ＵＳＢインターフェース基準で決められた形態でもよいが、ＩＥＥＥ１３９４や、Ｈｅｗｌｅｔｔ  Ｐａｃｋａｒｄ社が提唱するＩｒＤＡなどの基準による赤外線データ通信を行うものでもよい。
【００１７】
記録装置Ｂ０２には操作パネルＢ２１が接続されており、この操作パネルＢ２１には、ユーザが操作するキーＢ０５と、取り扱い中の画像情報やメッセージを表示する表示器（ＬＣＤ）Ｂ０６とが配設されている。ユーザは、操作パネルＢ２１上のキーＢ０５を操作する事により、デジタルカメラＢ０１で撮像された画像ファイルを、記録装置Ｂ０２によって、記録媒体２２に印刷あるいは磁気記録することができる。また、既に磁気記録がなされている記録媒体Ｂ２２の情報を読み取り、磁気記録データの再生処理を行うこともできる。
【００１８】
図２は、記録装置Ｂ０２の制御の構成を説明する為のブロック図である。
図２において、Ｂ０１はデジタルカメラ、Ｂ０２は記録装置である。デジタルカメラＢ０１は、ユーザが撮影したイメージを、圧縮した画像ファイルとして記憶し、インターフェイス端子から接続ケーブルを通して記録装置Ｂ０２ヘ送信することができる。
【００１９】
Ｂ０４はＣＰＵ（中央制御装置）であり、記録装置Ｂ０２内の各機能に対し処理を実行する。ＣＰＵＢ０４は、デジタルカメラＢ０１より入力された画像ファイルに対し、通信制御回路Ｂ０３で電圧変換などの処理を施し、その後メモリＢ０７に記憶させる。更に、キーボードＢ０５から受信した情報をＬＣＤＢ０６に表示する制御や、記録ヘッドＢ１５および磁気ヘッドＢ１６の記録制御、また、キャリッジモータＢ１３や紙送りモータＢ１４に対するモータ制御などを、ＲＯＭＢ０８に予め格納されているマイクロプログラムに従って順次実行していく。
【００２０】
キーＢ０５は、デジタルカメラＢ０１から画像データを取込んだり、画像データを印刷したり、また磁気記憶する処理を、ユーザが指定出来るように、操作パネルＢ２１上に複数個配設されている。
【００２１】
Ｂ０７はメモリーであり、入力されてきた画像データを表示用に変更して記憶したり、記録用に変更して記憶することが出来、ランダムアクセスが可能な形態となっている。
【００２２】
Ｂ０９はキャリッジモータ制御回路であり、ＣＰＵＢ０４からの信号を、キャリッジモータＢ１３を駆動するための電圧レベルに変換する。
【００２３】
記号Ｍ１で示すキャリッジモータＢ１３には例えばステッピングモータが用いられ、キャリッジモータ制御回路Ｂ０９から受け取った駆動信号により右方向あるいは左方向に回転する。このキャリッジモータＢ１３の回転は、ギアーＢ１７により第１のプーリＢ１８に伝達され、この第１のプーリＢ１８と第２のプーリＢ１９との回転に応じ、両者間に張架されたベルトＢ２０が左右の往復運動を行う。ベルトＢ２０には記録ヘッドＢ１５と磁気ヘッドＢ１６とがそれぞれ搭載される２つのキャリッジが取り付けられており、ベルト２０の左右往復運動に伴って主走査方向の往方向及び複方向に移動することが可能となっている。
【００２４】
Ｂ１１は記録ヘッド制御回路である。記録ヘッド制御回路Ｂ１１は、ＣＰＵＢ０４より受け取った画像信号を、記録ヘッドＢ１５が記録動作を行うことのできる電圧及びパルス幅に変換した後、記録ヘッドＢ１５に与える。記録ヘッドＢ１５に信号を与えるタイミングは、キャリッジモータＢ１３の制御で確定するキャリッジの位置に応じて制御されている。また、本実施形態で適用する記録ヘッドＢ１５は、インクジェットの記録技術によって印刷（記録）動作を行うものとする。
【００２５】
Ｂ１２は磁気ヘッド制御回路である。本実施形態の磁気ヘッドＢ１６は、記録媒体の磁気的に記録可能な層に対し、画像情報を記録すると共に、既に記録媒体に記録されている情報を読み取ることができる。記録を行う場合、磁気ヘッド制御回路Ｂ１２は、ＣＰＵＢ０４より受け取った記録信号を、磁気ヘッドＢ１６が記録可能な信号レベルに変換した後、この磁気ヘッドＢ１６に入力する。既に磁気記録されている画像情報を読みとる場合、磁気ヘッド制御回路Ｂ１２は、磁気ヘッドＢ１６からの入力信号を電気的に増幅してディジタル信号に変換する。ＣＰＵＢ０４は、このディジタル信号を、所定の処理に従って、ＬＣＤＢ０６に表示したり、外部装置への送信処理を行うことが出来る。
【００２６】
Ｂ１０は、紙送りモータ制御回路である。紙送りモータ制御回路Ｂ１０は、記録媒体を副走査方向に移動するため、ＣＰＵＢ０４からの制御信号を紙送りモータＢ１４が駆動可能な電圧に変換し、記号Ｍ２で示す紙送りモータＢ１４に与える。
【００２７】
紙送りモータＢ１４の回転は、ギアーを通じて機械的に連結されたゴムローラの回転となり、プラテン（不図示）に挟み込まれている記録媒体Ｂ２２を少しずつ送リ出す機構となっている。
【００２８】
尚、本実施形態で適用する記録装置Ｂ０２はシリアル型の記録装置となっている。よって、キャリッジモータＢ１３によって行われる記録ヘッドＢ１５および磁気ヘッドＢ１６の主走査と、紙送りモータＢ１４によって行われる記録媒体Ｂ２２の副走査とを交互に繰り返すことにより、記録媒体Ｂ２２のほぼ全面への記録あるいは読み取りが可能となっている。
【００２９】
図３は、記録媒体Ｂ２２の構造を説明する為の図である。記録媒体Ｂ２２は、図の様に５層構造になっており、中心となる磁気記録シートＢ２４を挟み込むようにして保護シートＢ２５が貼り付けられ、更にその外側にインク記録用の印刷シートＢ２３が貼り付けられている。本実施形態では、磁気記録シートＢ２４に傷が付かない様に、また、湿度などが影響しない様に、保護シートＢ２５で磁気記録シートＢ２４を挟み込む構成としているが、もちろん保護のためのコーティング材をスプレーしてもよく、また、あまり耐久性を要求しない場合には保護シートＢ２５を削除してもよい。更に、用途に応じて印刷シートＢ２３は片面のみにしてもよい。
【００３０】
図４は、本実施形態における記録ヘッドＢ１５、磁気ヘッドＢ１６および記録媒体Ｂ２２の相対的な位置関係を示した概念図である。
【００３１】
図４において、図に直交する方向に搬送されてプラテンを通過した記録媒体Ｂ２２の両側に対応する部位には、一対のプーリＢ１８およびＢ１９が回転軸を記録媒体搬送方向と平行にした状態で配設されており、これら二つのプーリ間に巻回されたベルトＢ２０が、記録媒体Ｂ２２を取り囲む形になっている。キャリッジモータＢ１３が回転すると、これに伴いギアーＢ１７およびプーリＢ１８が夫々回転し、ベルトＢ２０が矢印の方向に往復運動する。ベルトＢ２０に取り付けられた記録ヘッドＢ１５および磁気ヘッドＢ１６は、ベルトＢ２０の往復運動に連動して左又は右方向に移動し、記録媒体Ｂ２２に対し、それぞれの移動位置に基いたデータの記録を行う。
【００３２】
記録ヘッドＢ１５と磁気ヘッドＢ１６とは、記録媒体Ｂ２２を挟んで対向する領域に配置されており、記録ヘッドＢ１５が左方向へ移動すると磁気ヘッドＢ１６は右方向へ、記録ヘッドＢ１５が右方向へ移動すると磁気ヘッドＢ１６は左方向に、それぞれ移動する構成となっている。但し、この様な構成は本実施形態を限定するものではなく、例えば記録ヘッドＢ１５と磁気ヘッドＢ１６とを並べて配設してもよく、更には、記録ヘッドＢ１５と磁気ヘッドＢ１６とを固定した状態で記録媒体Ｂ２２を左右に動かす構成であっても本実施形態は有効である。
【００３３】
図５は、図２で示した操作パネルＢ２１上のキーＢ０５とＬＣＤＢ０６との配列構成を示した図である。
【００３４】
図５において、記録モードキーＢ０５ａは、記録媒体に対する画像の印刷のみの処理と、磁気記録および印刷を行う処理との選択を設定するキーで、更に、磁気記録を行う場合には、記録するファイル数の設定も行うことができる。
【００３５】
用紙設定キーＢ０５ｂは、記録媒体のサイズの設定を行う為のキーである。
【００３６】
記録スタートキーＢ０５ｃは、記録モードキーＢ０５ａで設定された記録モードおよび用紙設定キーＢ０５ｂで設定された記録媒体のサイズに従って、印刷処理及び磁気記録を開始する為のキーである。
【００３７】
読取りスタートキーＢ０５ｄは、既に磁気記録が行われている記録媒体Ｂ２２から画像情報を読取り、記録装置Ｂ０２内のメモリーＢ０７に格納する処理を開始する為のキーである。
【００３８】
画像取込キーＢ０５ｅは、デジタルカメラＢ０１が記録装置Ｂ０２に接続されている状態でデジタルカメラＢ０１からの画像ファイルを記録装置Ｂ０２に取込む処理を実行する為のキーである。
【００３９】
「＞」キーＢ０５ｆおよび「＜」キーＢ０５ｇは、表示された選択メッセージの一つを選択するのに用いられ、その選択結果をＥＮＴキーＢ０５ｈで確定することができる。
【００４０】
以上、図１から図５を用いて説明したシステムによって、実際に画像を記録したり読み取る場合の処理手順を以下に説明する。
【００４１】
図６は、図５の記録モードキーＢ０５ａを押したときの処理手順を示したものである。
【００４２】
図６において、ユーザが記録モードキーＢ０５ａを押すと、まず、ステップＦ１で、「印刷のみ」または「印刷と磁気記録」の２つモードから１つのモードを選択する為のメッセージが表示される。
【００４３】
ステップＦ２では、ユーザが、「＞」キーＢ０５ｆと「＜」キーＢ０５ｇを適宜用いていずれかのモードを選び、ＥＮＴキーＢ０５ｈを用いて選択結果を確定する。
【００４４】
ステップＦ３では、ステップＦ２で行った選択が「印刷のみ」かどうかの判別を行う。「印刷のみ」であった場合には、記録モードの設定を終了する。
【００４５】
ステップＦ２で「印刷と磁気記録」が選択された場合は、ステップＦ４で１枚の記録媒体上に磁気記録する画像ファイルの数をユーザに選択させるためのメッセージを表示する。
【００４６】
ステップＦ５では、ユーザが、「＞」キーＢ０５ｆと「＜」キーＢ０５ｇを適宜用いて、画像ファイルの数を設定し、ＥＮＴキーＢ０５ｈを用いて選択結果を確定する。そして確定したファイル数は、一度記録装置に保存される。
【００４７】
尚、本実施形態では、１度に磁気記録を行える画像ファイルの数を１、２、４、８としている。本実施形態では一枚の記録媒体に最大８個の画像ファイルを記憶できる仕様とし、ユーザが磁気記録したい最初の画像をＬＣＤＢ０６に表示しておき、そこからのファイル数をステップＦ４およびステップＦ５にて規定する構成となっている。但し、上記ファイル数は、本実施形態を限定するものではない。以上の処理により記録モードの設定が完了し、次にユーザは用紙設定を行う。
【００４８】
図７は、用紙設定を行う際の処理手順を示したフローチャートである。
図７において、ステップＦ６では、用紙（記録媒体）のサイズをユーザに選ばせるためのメッセージを表示する。本実施形態においては、Ａ４サイズ、Ａ５サイズおよび葉書サイズの３種類から選択出来るようになっている。
【００４９】
ステップＦ７で、ユーザは「＞」キーＢ０５ｆ又は「＜」キーＢ０５ｇによって用紙のサイズのいずれかを選び、ＥＮＴキーＢ０５ｈにて確定する。以上で、用紙の設定が完了する。
【００５０】
図８は、ユーザが記録スタートキーＢ０５ｃを押したときの処理を示すフローチャートである。
図８において、ステップＦ１１では記録媒体の検出を行う。本実施形態の記録装置Ｂ０２には、記録媒体を給紙した段階で、記録媒体の有無を確認する為に例えばスイッチ形態のセンサが具備されており、このセンサからの信号はＣＰＵＢ０４の入力ポートに入力される。そして、センサからの入力信号の電圧レベルをＣＰＵＢ０４が読取る事により、記録媒体の有無を検出することが出来る構成となっている。
【００５１】
検出の結果、記録媒体が装着されていないと判定された場合は、ステップＦ１２にてエラー処理を行い、終了する。エラー処理としては、記録媒体が装着されていない旨のメッセージをＬＣＤＢ０６に表示するなどの処理を行う。
【００５２】
ステップＦ１１の検出の結果、記録媒体が装着されていると判定された場合、ステップＦ１３では、図６で説明した記録モードキーＢ０５ａによる設定が、「印刷のみ」であるかどうかを確認する。「印刷のみ」の場合、ステップＦ１６に進み、印刷処理のサブルーチンに移行する。
【００５３】
ステップＦ１３の確認の結果、「印刷のみ」でない即ち「印刷と磁気記録」が設定されていた場合、ステップＦ１４に進む。ステップＦ１４では、まず記録媒体Ｂ２２に対し、磁気ヘッドＢ１６を用いて所定の見出しコード（ｌＮＤＥＸ）を記録する。そして、その場で磁気記録した内容の読み出しを行う。
【００５４】
次のステップＦ１５では、記録した見出しコードと読み出された内容とが一致しているかどうかの判定を行い、両者が一致している場合には、給紙されている記録媒体Ｂ２２が磁気記録シート付きの記録媒体であると判断し、ステップＦ１７に進み、磁気記録付記録処理のサブルーチンに移行する。両者が一致していない場合、搬送されている記録媒体Ｂ２２が、磁気記録が行えない記録媒体であると判断し、ステップＦ１６に進み、印刷処理のみのサブルーチンに移行する。
【００５５】
図９は、図８のステップＦ１６で示した印刷処理のサブルーチンのフローチャートである。
【００５６】
図９において、ステップＦ１８では操作パネルＢ２１上の表示器Ｂ０６に現在表示されている画像をメモリーＢ０７から呼出し、同画像ファイルを印刷可能な画像データに変換し、メモリーＢ０７にある印刷バッファ上に展開する。
【００５７】
ステップＦ１９では、印刷を行う際、紙送りモータＢ１４による記録媒体Ｂ２２の紙送り回数をカウントするため、カウンターＮを“１”に初期化する。
【００５８】
ステップＦ２０では、ステップＦ１８で印刷バッファ上に展開された画像データのうち、Ｎ行目のデータの印刷を実行する。
【００５９】
ステップＦ２１では、次行の印刷のために、Ｘピッチの紙送りを行う。
【００６０】
ステップＦ２２では、カウンタＮをインクリメントする。
【００６１】
ステップＦ２３では、所定の画像の印刷が終了したかどうかの判別を行い、印刷終了でなければステップＦ２０からＦ２３の処理を繰り返し、印刷終了であればこの印刷処理のサブルーチンを終了する。
【００６２】
図１０は、図８のステップＦ１７で示した磁気記録付記録処理のサブルーチンのフローチャートである。
【００６３】
図１０において、ステップＦ２４では、操作パネルＢ２１上の表示器（ＬＣＤ）Ｂ０６に現在表示されている画像をメモリーＢ０７から呼出し、同画像ファイルを印刷可能な画像データに変換し、メモリーＢ０７にある印刷バッファ上に展開する。
【００６４】
ステップＦ２５では、図６のステップＦ５で記録装置に記憶したファイル数に基づき、１、２、４又は８個の画像を表示中の画像から順に選択し、それらを磁気記録する為の画像データに変換する。
【００６５】
ステップＦ２６では、印刷行数をカウントするカウンターＮと、磁気記録行数をカウントするカウンターＭとをそれぞれ“１”にセットし、後述する磁気記録と印刷処理のループに備える。
【００６６】
ステップＦ２７からステップＦ４４は、磁気記録と印刷処理のループであり、カウンターＭとＮのカウント値に基き、印刷行数と磁気記録行数とをそれぞれ管理しながら処理を実行していく。
【００６７】
ステップＦ２７では、まずカウンタＭの値が磁気記録が終了したことを示すための数値（１６進数）“ＦＦＦｈ”であるか否かの判別すなわち磁気記録が終了したかどうかの判別を行い、磁気記録が終了している場合はステップＦ４１以降の印刷処理に移行する。
【００６８】
ステップＦ２７でＭ≠ＦＦＦｈと判定された場合、ステップＦ２８ではカウンタＭの値を“８”で除し、割り切れる場合すなわち小数部が“０”の場合はステップＦ３１以降の印刷処理と磁気記録処理とを同時に行う処理に移行する。
【００６９】
ステップＦ２８で割り切れないと判定された場合は、ステップＦ２９以降の磁気記録処理に移行する。
【００７０】
本実施形態においては、インクジェット記録ヘッドを用いた印刷方式を採用しており、ここで適用するインクジェット記録ヘッドは、多数の記録素子を高密度で配設した構成となっている。そして、この多数の記録素子から一定周期（ｍｓ／ドット）でインクを吐出させながら、キャリッジを所定の速度で移動させることにより１行分の印刷が完成する。１行分の印刷幅は、多数の記録素子の記録密度および数により決定され、本実施形態においては、２５６個の記録素子を１２００ｄｐｉ（ドット／インチ；参考値）の密度で配設しているものとする。これにより、１行の印刷幅は約２５．４ｍｍ／１２００×２５６＝５．４２ｍｍとなる。
【００７１】
一方、本実施形態の磁気記録においては、磁気ヘッドの記録幅を５．４２ｍｍ／８＝０．６８ｍｍとしている。
【００７２】
以上より、記録ヘッドＢ１５のみを使ったステップＦ４０以降の印刷処理では、印刷幅の５．４２ｍｍ毎に紙送りを行うが、少なくとも磁気ヘッドＢ１６を用いている場合には、印刷幅の１／８である０．６８ｍｍ毎に紙送りを行う。
【００７３】
ステップＦ２８において、磁気記録の行数をカウントしているカウンタＭの内容が８で割り切れるときは（８回の記録走査のうち一回）、ステップＦ３１以降の印刷と磁気記録を同時に行う処理に進み、それ以外の８で割り切れないときは（８回の記録走査のうち７回）、ステップＦ２９以降の磁気記録のみを行う処理に進む。
【００７４】
磁気記録のみを行う場合、ステップＦ２９では、まずキャリッジ駆動モータＢ１３を高速で回転するように設定する。本実施形態においては、磁気ヘッドＢ１６が１ビットの記録を行う時間が、インクジェット記録ヘッドＢ１５がインクを吐出する周期に比べて非常に短い為、ステッピングモーターであるキャリッジモータＢ１３の回転スピードを、印刷処理を含む場合の２倍の速度（０．２秒／行）でに設定する。
【００７５】
ステップＦ３０では、ステップＦ２９で設定された速度でキャリッジモータＢ１３を回転させながら、カウンタＭで指定される１行分の磁気記録データを、１ビット単位で選択し、記録媒体Ｂ２２への磁気記録を実行する。
【００７６】
一方、磁気記録と印刷処理を同時に行う場合、ステップＦ３１では、まずキャリッジ駆動モータＢ１３を低速で回転するように設定する。印刷処理を伴う場合、キャリッジの移動速度は記録ヘッドＢ１５の吐出周波数および記録密度に依存する。ここで、記録ヘッドの吐出周波数＝１５ＫＨｚ、記録密度＝１２００ｄｐｉとすると、１ドットの印刷幅＝２５．４ｍｍ（１ｉｎｃｈ）／１２００ｄｐｉ＝０．０２１ｍｍとなる。ここで、主走査方向の印刷幅を例えば１２０ｍｍとすると、１行を印刷するのに必要となる時間は、１２０ｍｍ／０．０２１ｍｍ×１／１５０００Ｈｚ≒０．３８秒となる。更に、キャリッジが停止した状態と定常速度との間をつなぐ加減速を行うのに必要な時間を加えると、１行の印刷に必要な時間は約０．４秒となる。この為、本実施形態ではキャリッジモータＢ１３の回転速度は、磁気記録のみを行う場合の１／２程度の低速回転にする必要がある。
【００７７】
ステップＦ３２では、ステップＦ３１で設定された速度でキャリッジモータＢ１３を回転させながら、カウンタＭで指定される１行分の磁気記録データを、１ビット単位で選択し、記録媒体Ｂ２２への磁気記録を実行すると同時に、カウンタＮで指定される１行分の画像データを、１ビット単位で選択し、記録媒体Ｂ２２への印刷を実行する。
【００７８】
ステップＦ３３では、印刷行数をカウントしているカウンタＮをインクリメントする。
【００７９】
ステップＦ３４では磁気記録の行数をカウントしているカウンタＭをインクリメントする。
【００８０】
ステップＦ３５では、磁気記録用のデータが全て記録完了したかどうかの判別を行い、完了した場合はステップＦ３９に進む。
【００８１】
ステップＦ３９では、カウンタＭに磁気記録データが完了した事を示す値として１６進数である“ＦＦＦｈ”をセットし、続くステップＦ４０では、次の印刷行となるまでの紙送り幅であるＺピッチの紙送りを行う。
【００８２】
ステップＦ３６では、次の磁気記録のためにＹピッチの紙送りを行い、続くステップＦ３７では、記録処理が終了したかどうかの判別を行う。
【００８３】
記録処理が終了した場合は、磁気記録付記録処理のサブルーチンを終了する。記録処理が終了していない場合は、ループを繰り返すためにステップＦ２７へ戻る。
【００８４】
ステップＦ４１以降は磁気記録が終了した後の印刷処理を行うためのルーチンである。ステップＦ４１では、まず、キャリッジモータＢ１３の回転速度を低速に設定する。
【００８５】
次にステップＦ４２にて、カウンタＮで指定される画像データを選択し、印刷処理を実行する。
【００８６】
ステップＦ４３では、カウンタＮをインクリメントし、ステップＦ４４でＸピッチの紙送りを実行する。
【００８７】
図１０のフローチャートでは、ステップＦ３６で行う磁気記録時の紙送りをＹピッチ、ステップＦ４３で行う印刷処理時の紙送りをＸピッチとしているが、上述したように磁気記録時の紙送りはＹ＝０．６８ｍｍ、印刷処理時の紙送りはＸ＝５．４２ｍｍとなっている。また、ステップＦ４０で行うＺピッチの紙送りは、磁気記録処理が終了した時点から次の印刷を行う行までの紙送りであり、その量はＸとＹの間、即ち０．６８ｍｍから５．４２ｍｍの間となっている。
【００８８】
ステップＦ４４でＸピッチの紙送りを行った後、ステップＦ３７に進み、全画像データの印刷が終了していなければ、再びステップＦ２７へ戻り、印刷の為のルーチンステップＦ４１からステップＦ４４を繰り返す。
【００８９】
図１１は、デジタルカメラＢ０１に格納されている画像を、記録装置Ｂ０２で記録しようとする際に、ユーザおよび記録装置Ｂ０２がそれぞれ行う処理手順を一連に示したフローチャートである。
【００９０】
図１１において、ステップＦ４５で、まずユーザはデジタルカメラＢ０１と記録装置Ｂ０２にケーブル接続する。
【００９１】
次に、ユーザはステップＦ４６で、操作パネルＢ２１上にある画像取込キーＢ０５ｅを押す。
【００９２】
ステップＦ４７で、記録装置Ｂ０２は、取込む画像のファイル数をカウントする為のカウンタＬを“１”に初期化し、ステップＦ４８からステップＦ５２の画像取込処理のループへと移行する。
【００９３】
ステップＦ４８において、記録装置Ｂ０２は、デジタルカメラＢ０１とのインターフェースで決められた標準のデータ転送方法に従い、Ｌ番目の画像ファイルを受け取り、記録装置Ｂ０２内のメモリーへ格納する。
【００９４】
ステップＦ４９では、デジタルカメラＢ０１からの送信終了信号が送られてきたがどうかを判別し、送信終了であった場合には、ステップＦ４８で取込んだ画像がデジタルカメラＢ０１からの最後の画像ファイルであったと判断し、画像データ受け取りのループから脱出してステップＦ５３へと移る。
【００９５】
ステップＦ４９で送信終了でない場合には、まだ受け取る画像データがあると判断し、ステップＦ５０へ移行し、記録装置Ｂ０２内のメモリーの残量をチェックする。
【００９６】
ステップＦ５１では、画像ファイルの個数をカウントしているカウンターＬをインクリメントし、次の画像を受け取る準備をする。
【００９７】
ステップＦ５２では、ステップＦ５０で行ったメモリー残量チェックの結果から、次の画像ファイルを格納する領域があるかどうかの判別を行う。そして、まだ空き領域があるときは、ステップＦ４８に戻り、上述の処理ループを再度実行する。空き領域がない場合は、画像取込処理を終了しループから脱出するため、ステップＦ５３へと進む。
【００９８】
ステップＦ５２では、受け取った数個の画像ファイルの内、１番目の画像ファイルを選択し、その画像をＬＣＤＢ０６に表示する。以上で、画像取込処理を終了する。
【００９９】
以上の画像取込処理でメモリーＢ０７に取り込まれた画像ファイルは、図８、図９および図１０を用いて説明した印刷処理または磁気記録付き印刷処理を実行するときに順次呼出され、記録媒体上に印刷又は磁気記録されていく。
【０１００】
図１２は、図１０の処理で磁気記録された画像データを記録媒体から読み出し、記録装置Ｂ０２内のメモリーＢ０７に記憶していく処理を示すフローチャートである。
【０１０１】
図１２において、ユーザが操作パネルＢ２１の読取スタートキーＢ０５ｄをタッチすると、読み取り処理が開始され、まず、ステップＦ５４で記録媒体の検出を行う。検出方法は、図８で説明したステップＦ１１での方法と同様とし、記録媒体が装着されていないと判断された場合には、ステップＦ６２のエラー処理へと移る。
【０１０２】
検出の結果、記録媒体が装着されている場合には、ステップＦ５５にてカウンタＭの値を“１”にセットする。
【０１０３】
ステップＦ５６では、キャリッジモータＢ１３の回転速度を高速にセットし、ステップＦ５７以降のループ処理へと進む。
【０１０４】
ステップＦ５７〜ステップＦ６１のループ処理は、記録装置Ｂ０２にセットされた記録媒体が、既に磁気記録されているものか否かを判定する為のものである。
【０１０５】
まず、ステップＦ５７では、Ｍ行目の磁気記憶データの読み出し処理を行う。続くステップＦ５８では、ステップＦ５７で読取ったデータに、予め取り決められた見出しコードがあるか否かの判別を行う。見出しコードがあった場合には、ステップＦ６５以降の磁気読み取り処理へ移行する。見出しコードがなかった場合には、ステップＦ５９以降の処理を行い、ループ処理を続行する。
【０１０６】
ステップＦ５９ではカウンタＭの内容をインクリメントし、続くステップＦ６０ではＹピッチの紙送りを行う。これにより、次の行の見出しコードの有無を検知する為の準備が出来る。
【０１０７】
ステップＦ６１ではカウンタＭの内容をチェックする。カウンタＭが“２３”以下の場合、そのままステップＦ５７に戻る。カウンタＭが“２４”の場合、記録媒体には画像情報が磁気記録されていないと判断し、ステップＦ６２のエラー処理へと移行する。ここで示した“２４”と言う数は、記録媒体に見出しコードが記録されうる領域の最終行を超えたことを示すものであり、磁気記録の方法や記録媒体のサイズによって異なった値を採っても無論構わない。
【０１０８】
ステップＦ６２ではエラー処理を行う。ここでは、記録媒体が装着されていない旨のメッセージをＬＣＤＢ０６に表示するなどの処理を行う。
【０１０９】
その後、ステップＦ６３およびＦ６４にて記録媒体の排紙が完了するまでＸピッチの紙送りを続け、終了する。
【０１１０】
ステップＦ６５からステップＦ７１は、記録媒体に磁気記録されたデータを読み取し、記録装置Ｂ０２内のメモリーＢ０７に格納するまでの処理を示すフローチャートである。
【０１１１】
ステップＦ６５では、まず、磁気データの行数をカウントする為のカウンタＭを“１”に初期化する。
【０１１２】
ステップＦ６６では、Ｍ行目の磁気記録されたデータを２値データとして読み取り、格納するための形態にデータを変換した後、メモリーＢ０７に格納する。ここでは、磁気記録されているデータ群に対応するファイル番号をインデックスで管理したり、カウンタＭの値に基きメモリー内の格納場所のアドレスを計算する処理等を行いながら、ステップＦ６７のメモリー格納処理を実行する。
【０１１３】
ステップＦ６８では、読取ったデータ内に終了コードがあるか否かの判別を行う。終了コードがあった場合、ステップＦ６３へと進み記録媒体の排紙処理へ移る。
【０１１４】
ステップＦ６８で終了コードが無かった場合には、次の行の磁気記録データの読取りに備えるため、ステップ６９でカウンタＭの値をインクリメントし、ステップＦ７０でＹピッチの紙送りを行う。
【０１１５】
ステップＦ７１では、ステップ７０による紙送り走査後、磁気ヘッドが読み取る位置に記録媒体があるかどうかの判断を行い、無くなっている場合には、ステップＦ６３へと進み終了処理を実行する。記録媒体がまだ検知される場合には、ステップＦ６６に戻り、磁気データの読み取りルーチンを続行する。
【０１１６】
以上述べた様に、磁気データの読み取り処理では、装着された記録媒体をＹピッチで送りながら、磁気記録データの読取りを実行し、メモリーＢ０７へ順次格納して行く。メモリーＢ０７に記憶される読取りデータは、ファイル単位に管理され格納されているので、ユーザが、図５で示した「＞」キーＢ０５ｆ、又は「＜」キーＢ０５ｇを操作してＬＣＤＢ０６に表示したり、画像ファイルを指定した上で、図８で示した印刷処理を行うことが可能となる。
【０１１７】
以上説明した様に、本実施形態によれば、磁気シート付きの記録媒体に画像データを印刷しながら、該画像データを同一の記録媒体に磁気記録する事が可能となった。また、磁気記録済の記録媒体から、画像データを読み込み、その画像情報を再度印刷したり、表示する事が可能となった。
【０１１８】
このような本実施形態の効果は、日常生活において、例えば以下のような使い勝手、および効果を発揮することが出来る。
【０１１９】
例えば、葉書に印刷した画像とともに、同一の画像やそれに関連する複数の画像を磁気記憶して郵送することができ、これによれば、受け取ったユーザは、手持ちの記録装置を用いて、複数の画像を印刷したり、はがきのサイズ以上に大きく引き伸ばして印刷する事が可能となる。
【０１２０】
また、印刷された画像を、例えばアルバムや写真立てなどに保存しておいても、長期間の放置では、画像が黄ばんだり汚れたりすることがある。しかし、このような場合でも本実施形態によれば、同一の記録媒体に同画像の画像データが保存されているので、ユーザはデータの在り処を模索することもなく、この磁気情報を読み込み、すぐに印刷しなおすことが出来るのである。
【０１２１】
以上のように、本実施形態で適用した記録媒体は、フロッピー（登録商標）ディスクやＣＤ−ＲＯＭとは異なり、記憶媒体上に比較的高品位な画像の印刷を施せるので、分類や整理が行いやすいばかりでなく、印刷情報と磁気情報との２重の情報を格納する新たな記憶メディアとして提供することができる。
【０１２２】
また、上記記録媒体への記録及び再生を行う本実施形態の記録装置においては、パーソナルコンピュータなどの単なる出力装置であった記録装置の概念を変え、記憶メディア作成装置あるいは記憶メディア再生装置としても、活用できる新たな記録装置となり得るのである。
【０１２３】
なお、本実施形態においては、デジタルカメラＢ０１と記録装置Ｂ０２とを直接接続したシステムについて説明して来たが、本実施形態は、これに限定されるものではない。デジタルカメラの変わりに、パーソナルコンピュータやワークステーションが接続されていたり、またインターネットから直接画像情報を入手するような接続手段を施してもよい。更に記録装置自体が上記のような機能を有するようなシステムであってもよい。
【０１２４】
（第２の実施形態）
以下に本発明の第２の実施形態について説明する。第１の実施形態では、インクジェット記録装置で画像を印刷すると同時に、同一の記録媒体に画像情報を磁気記録、読み取りおよび再生を行える構成および効果を説明した。これに対し、本実施形態においては、磁気記録を行う内容として、画像情報のみではなく、音楽などのオーディオ情報を同時に記録、読み取りおよび再生可能な記録システムについて説明する。
【０１２５】
図１３は、デジタルカメラＢ０１とオーディオ装置Ｂ３０とを同時に接続可能な記録装置Ｂ０２の制御の構成を示すブロック図である。図２を用いて既に説明した第１実施形態と同様の機能を有するものについては、図２と同じ符号で示し、その説明は省略する。
【０１２６】
図１３において、Ｂ３０はラジオ機能などを有したオーディオ装置である。このオーディオ装置Ｂ３０は、デジタルカメラＢ０１で撮影した画像情報に関連するオーディオ情報（例えばデジタルカメラＢ０１で歌手の肖像を撮影した場合、その歌手に関連する音楽情報等）を、接続された記録装置Ｂ０２に送信することが出来る。
【０１２７】
Ｂ３１は、オーディオ装置Ｂ３０からのアナログ信号を、ディジタル信号に変換する為のＡ／Ｄ変換回路である。Ａ／Ｄ変換回路Ｂ３１でＡ／Ｄ変換された後のオーディオ情報は、ＣＰＵＢ０４の制御により、メモリーＢ０７にデジタルカメラＢ０１から受信した画像情報と関連付けて記憶される。関連付けて記憶されたオーディオ情報と画像情報は、ＣＰＵＢ０４の制御により、磁気ヘッド制御回路Ｂ１２に送信されて、記録媒体Ｂ２２への磁気記録を行うことが出来る。一方、画像情報については、磁気記録のみでなく、記録ヘッドＢ１５により記録媒体Ｂ２２に印刷することが出来るので、印刷した画像とこの画像の画像データ、およびこれに関連するオーディオ情報とが同時に同一の記録媒体Ｂ２２に保存されることになる。
【０１２８】
記憶されたオーディオ情報や画像情報の読取り処理を行う場合は、図１２を参照して説明した第１の実施形態と同様である。すなわち、記録媒体Ｂ２２に磁気記憶された情報を、磁気ヘッドＢ１６にて読取り走査しながら、メモリーＢ０７に記憶していくのである。
【０１２９】
本実施形態においては、メモリーＢ０７に記憶されたオーディオ情報は、アナログ信号再生回路Ｂ３２でオーディオ信号に変換され、接続されたスピーカーＢ３３によって再生出力が可能となっている。
【０１３０】
以上説明した様に、本実施形態によれば、磁気シート付きの記録媒体に画像データを印刷しながら、画像データとオーディオ情報とを同一の記録媒体に磁気記録する事が可能となった。また、磁気記録済の記録媒体から、オーディオ情報を読み込み、その情報を再生する事が可能となった。
【０１３１】
これにより、本実施形態では、第１実施形態の効果が得られると同時に、オーディオ情報に関わる効果も得られることになる。すなわち、記録媒体においては、印刷情報と磁気画像情報、および磁気オーディオ情報との３重の情報を格納する新たな記憶メディアとして提供することができる。
【０１３２】
また、上記記録媒体への記録、印刷およびオーディオ再生を行う本実施形態の記録装置においては、パーソナルコンピュータなどの単なる出力装置であった記録装置の概念を変え、記憶メディア作成装置あるいは記憶メディア再生装置としても、活用できる新たなシステムとなり得るのである。
【０１３３】
尚、以上では、デジタルカメラＢ０１とオーディオ装置Ｂ３０とを、それぞれスピーカー機能を持つ記録装置Ｂ０２に接続したシステムについて説明して来たが、本実施形態は、このような構成に限定されるものではない。デジタルカメラやオーディオ装置の変わりに、パーソナルコンピュータやワークステーションが接続されていたり、インターネットから直接情報を入手するような接続手段を施していてもよい。また、スピーカー機能が記録装置の外部に設置されている構成であってもよい。記録装置の内部であれ、外部であれ、上記で説明した機能を含んだシステムであれば、本実施形態は有効となる。
【０１３４】
更に、上記では、記録するオーディオ情報と画像情報とが関連性のあるものとして説明してきたが、本実施形態においては、必ずしも両者に関連性を必要とするものではない。記録媒体Ｂ２２に対して、画像と音声という２重の情報を同時に格納し、その情報を適宜に取り扱うことが出来れば、本実施形態は有効となるのである。
【０１３５】
また、以上説明した２つの実施形態では、インクジェット方式を採用した印刷と、磁気ヘッドによる磁気記録とを、同時に行える方法を例に説明して来たが、本発明はこれに限定されるものではない。インクジェット方式以外でも視覚的に確認可能な記録方法であれば、上述した印刷に代えることが可能である。また、光学的な記録方法など、記録後の情報が視覚的に感知されない記録方法であれば、上述した磁気記録から代えることができる。
【０１３６】
本発明の実施態様の例を以下に列挙する。
【０１３７】
［実施態様１］  可視情報を記録可能な第１部材と、非可視情報を記録可能な第２部材とを含んだ記録媒体に記録をおこなう記録システムであって、
前記第１部材に対し画像情報を可視情報として記録を行うための第１記録手段と、
前記第２部材に対して少なくとも前記画像情報に対応した非可視情報の記録を行う第２記録手段とを有する。
【０１３８】
［実施態様２］  上記実施形態１の記録システムにおいて、前記第２部材は磁気的に記録可能な部材であり、前記第２記録手段は前記第２部材に対し磁気的に記録可能な磁気記録手段である。
【０１３９】
［実施態様３］  上記実施形態１または２の記録システムにおいて、前記第１記録手段および前記第２記録手段とを互いに平行な移動軸に沿って記録媒体に対し相対的に移動走査させながら前記記録媒体に記録を行う走査手段を具え、該走査手段は、前記第１記録手段および前記第２記録手段の移動走査を行わせるために同一のモータを駆動源として用いる。
【０１４０】
［実施態様４］  上記実施形態３の記録システムにおいて、前記第１記録手段による記録のみを行わせるために前記移動走査を行う際の前記モータの駆動回転数と、前記第２記録手段による記録のみを行わせるために前記移動走査を行う際の前記モータの駆動回転数とが互いに異なっている。
【０１４１】
［実施態様５］  上記実施形態１〜４のいずれかの記録システムにおいて、前記記録媒体を前記移動軸とは直交する方向に相対的に搬送する手段を具える。
【０１４２】
［実施態様６］  上記実施形態５の記録システムにおいて、前記第１記録手段による記録のみを行った後に前記記録媒体を搬送する搬送量と、前記第２記録手段による記録のみを行った後に前記記録媒体を搬送する搬送量とが互いに異なっている。
【０１４３】
［実施態様７］  上記実施形態１〜６のいずれかの記録システムにおいて、前記画像情報は圧縮処理が施されている。
【０１４４】
［実施態様８］  上記実施形態１〜７のいずれかの記録システムにおいて、前記第２部材に対して第２記録手段が記録を行う非可視情報は、複数の画像情報に対応するものである。
【０１４５】
［実施態様９］  上記実施形態１〜７のいずれかの記録システムにおいて、前記第２部材に対して第２記録手段が記録を行う非可視情報は、画像情報およびオーディオ情報である。
【０１４６】
［実施態様１０］  上記実施形態１〜９のいずれかの記録システムにおいて、前記第２記録手段は、既に前記第２部材に記録されている非可視情報を読み取る機能を備え、前記記録システムは前記第２記録手段が読み取った情報を格納する手段を有する。
【０１４７】
［実施態様１１］  上記実施形態９の記録システムにおいて、前記第２記録手段は、既に前記第２部材に記録されている非可視情報としてのオーディオ情報を読み取る機能を備え、前記記録システムは前記第２記録手段が読み取ったオーディオ情報を再生することが可能である。
【０１４８】
【発明の効果】
以上説明した様に本発明によれば、視覚的に確認可能な情報と、この情報を含みこの情報に関連するより多くの情報とを、同一の記録媒体から２重に得ることが出来る。その結果、ユーザは、印刷された画像により、記録媒体に格納されているデータの内容を把握することが出来、また、印刷された画像が劣化した場合にも、記録媒体に格納されているデータから同一の画像を再生することが出来る。
【図面の簡単な説明】
【図１】本発明の実施形態における記録システムの概念図である。
【図２】本発明の第１実施形態における制御系の構成を示したブロック図である。
【図３】本発明で適用した記録媒体の構造を説明するための模式図である。
【図４】図２の記録装置における記録ヘッド、磁気ヘッドおよび記録媒体との相対的な位置関係を示した概念図である。
【図５】図２の記録装置に配設されている操作部の構成図である。
【図６】本発明の実施形態における記録モードを選択する場合の処理手順を示すフローチャートである。
【図７】本発明の実施形態における用紙設定の処理手順を示すフローチャートである。
【図８】本発明の実施形態における記録モードの処理手順を示すフローチャートである。
【図９】本発明の実施形態における印刷処理の処理手順を示すフローチャートである。
【図１０】本発明の実施形態における磁気記録付き印刷処理の処理手順を示すフローチャートである。
【図１１】本発明の実施形態における画像取込処理の処理手順を示すフローチャートである。
【図１２】本発明の実施形態における読み取りモードの処理手順を示すフローチャートである。
【図１３】本発明の第２実施形態における制御の構成を示したブロック図である。
【符号の説明】
Ｂ０１  デジタルカメラ
Ｂ０２  記録装置
Ｂ０３  通信制御回路
Ｂ０４  ＣＰＵ（中央制御装置）
Ｂ０５  キー
Ｂ０６  表示器（ＬＣＤ）
Ｂ０７  メモリー
Ｂ０８  ＲＯＭ
Ｂ０９  キャリッジモータ制御回路
Ｂ１０  紙送りモータ制御回路
Ｂ１１  記録ヘッド制御回路
Ｂ１２  磁気ヘッド制御回路
Ｂ１３、Ｂ１４  モータ
Ｂ１５  記録ヘッド
Ｂ１６  磁気ヘッド
Ｂ１７  ギア−
Ｂ１８、Ｂ１９  プーリ
Ｂ２０  ベルト
Ｂ２１  操作パネル
Ｂ２２  記録媒体
Ｂ２３  印刷シート
Ｂ２４  保護シート
Ｂ２５  磁気記録シート
【図１】
2004148533.tif 000003
【図２】
2004148533.tif 000004
【図３】
2004148533.tif 000005
【図４】
2004148533.tif 000006
【図５】
2004148533.tif 000007
【図６】
2004148533.tif 000008
【図７】
2004148533.tif 000009
【図８】
2004148533.tif 000010
【図９】
2004148533.tif 000011
【図１０】
2004148533.tif 000012
【図１１】
2004148533.tif 000013
【図１２】
2004148533.tif 000014
【図１３】
2004148533.tif 000015